(57)【要約】【課題】フィルムが位置決めされたマスクをキャリア本体に装着する際の操作性を向上させたフィルムキャリアを提供することを目的とする。【解決手段】フィルムキャリアの基台から取り外されたマスクユニットに対してアッパーガイド１０８を開放して一コマフィルムＦをマスク１０６上に位置決めした後、アッパーガイド１０８を閉塞して圧着板１４６とマスク１０６でフィルムＦを挟持する。さらに、マグネット部材１１０の揺動部材１１０Ｂの押圧部２０７を押し下げることによって、アッパーガイド１０８の舌片３０６Ａと揺動部材１１０Ｂのマグネット２０６が磁着され、コイルスプリング２０８の弾性力によって揺動部材１１０Ｂに磁着された舌片３０６Ａ（アッパーガイド１０８）が反時計回りに回転する。この結果、圧着板１４６の付勢力が増加してフィルムＦをマスク１０６に圧着させる。この状態でマスクユニットを基台１０２に装着すれば、圧着されたフィルムＦがマスク１０６上で位置ずれすることはなく、操作性が向上する。【選択図】　図９
2004117550.tif 000002
【特許請求の範囲】
【請求項１】
画像読取装置に装着され、読取位置に位置決めされた画像記録媒体の画像情報を読み取られるフィルムキャリアであって、
画像読取装置上に装着されるキャリア本体と、
前記キャリア本体に対して着脱自在とされ、画像記録媒体が読取位置に設置されるマスク部材と、
前記マスク部材に対して開閉自在に構成され、開放時にマスク上の読取位置に画像記録媒体を設置可能とし、閉塞時に読取位置に位置決めされた画像記録媒体を前記マスク部材に押圧する押さえ部材と、
マスク部材に向かって前記押さえ部材を付勢して前記画像記録媒体を当該マスク部材に圧着させるロック手段と、
を備えることを特徴とするフィルムキャリア。
【発明の詳細な説明】
【０００１】
【発明の属する技術分野】
本発明は、画像読取装置にセットされた状態で、画像記録媒体をマスク部材上に位置決めして画像情報の読取に使用されるフィルムキャリアに関する。
【０００２】
【従来の技術】
写真フィルムに記録されたフィルム画像をＲ、Ｇ、Ｂの各色成分に分解して読取り、読み取られた画像データに対して補正等の画像処理を行った後、記録材料やディスプレイ上へ表示する写真処理装置が提案されている。
【０００３】
この写真処理装置では、フィルムキャリア上に写真フィルムを位置決めした後、光源からの読取光をフィルムキャリア上の写真フィルムに照射し、写真フィルムを透過した読取光が読取部のＣＣＤセンサに入射することによって、画像情報が読み取られる。
【０００４】
フィルムキャリアは写真フィルムが位置決めされるマスクユニットを備えており、マスクユニットがキャリア本体に対して着脱自在に構成されている。マスクユニットに対して写真フィルムを位置決めする場合には、マスクに対して圧着板を開放して読取位置に写真フィルムを位置決めした後、圧着板を閉塞することによって圧着板がマスク上の写真フィルムを押圧する構成である。
【０００５】
【発明が解決しようとする課題】
ところで、位置決めされる写真フィルムが、例えば、画像コマの一コマ分が切断された写真フィルム（以下、一コマフィルムという）の場合には、画像形成装置の画像読取部（ケーシング）の下部にセットされたフィルムキャリアのマスク上で位置決めすることが困難である。
【０００６】
そこで、画像読取装置にセットされたフィルムキャリアのキャリア本体からマスクユニットのみを取り外し、マスクユニットに写真フィルムを位置決めした後、マスクユニットをキャリア本体に装着することが考えられる。
【０００７】
しかしながら、フィルムキャリア本体から取り外されたマスクユニットに写真フィルムを位置決めした場合には、マスク上で位置決めされた写真フィルムを圧着板が押圧するだけである。すなわち、圧着板が写真フィルムをマスクに圧着させて位置ずれを防止させる機構（例えば、ソレノイドによる付勢機構）はキャリア本体に設けられているため、マスクユニットをキャリア本体に装着するまでは位置決めされた写真フィルムが位置ずれするおそれがあった。そのため、オペレータは、マスクユニットに写真フィルムを位置決めした後、キャリア本体にマスクユニットを装着するまで圧着板を指で押さえていなければならず、取り扱いが煩雑になる。
【０００８】
本発明は上記不都合を考慮し、写真フィルムが位置決めされたマスクをキャリア本体に装着する際の操作性を向上させたフィルムキャリアを提供することを課題とする。
【０００９】
【課題を解決するための手段】
請求項１に記載の発明は、画像読取装置に装着され、読取位置に位置決めされた画像記録媒体の画像情報を読み取られるフィルムキャリアであって、画像読取装置上に装着されるキャリア本体と、前記キャリア本体に対して着脱自在とされ、画像記録媒体が読取位置に設置されるマスク部材と、前記マスク部材に対して開閉自在に構成され、開放時にマスク上の読取位置に画像記録媒体を設置可能とし、閉塞時に読取位置に位置決めされた画像記録媒体を前記マスク部材に押圧する押さえ部材と、マスク部材に向かって前記押さえ部材を付勢して前記画像記録媒体を当該マスク部材に圧着させるロック手段と、を備えることを特徴とする。
【００１０】
請求項１記載の発明の作用について説明する。
【００１１】
オペレータは、キャリア本体からマスク部材を取り外した状態で、押さえ部材を開放してマスク部材上の読取位置に画像記録媒体を位置決めする。続いて、押さえ部材を閉塞して押さえ部材でマスク部材上の画像記録媒体を押圧する。さらに、ロック手段によって、押さえ部材をマスク部材側に付勢して画像記録媒体をマスク部材に圧着させる。この状態でマスク部材をキャリア本体に装着することによって、マスク部材に圧着された画像記録媒体が位置ずれすることなくフィルムキャリアにセットされる。すなわち、画像記録媒体が位置決めされたマスク部材をキャリア本体に装着する際に押さえ部材を押さえておくことが不要となり、操作性が向上する。
【００１２】
【発明の実施の形態】
（フィルムキャリアが搭載される画像読取装置の概要）
図１および図２に示すように、画像読取装置１４は、パソコン１６、キーボード１２、及びディスプレイ１８が設けられた作業テーブル２２を備えている。
【００１３】
画像読取装置１４は、ネガフィルムやリバーサルフィルムの写真フィルムなどの写真感光材料（以下単に写真フィルムと称する）に記録されているフィルム画像を読み取るためのものである。ここでいう、「写真フィルム」とは、被写体を撮影後、現像処理され、ネガ画像又はポジ画像が可視化されたフィルムをいう。
【００１４】
パソコン１６は、画像読取装置１４から出力された画像データが入力されると共に、入力された画像データに対して補正等の画像処理を行って、記録用画像データとして、図示しないレーザプリンタ部へ出力する。
【００１５】
画像読取装置１４の光学系は、図２に示すように、作業テーブル２２の下方に配置された光源部３０、作業テーブル２２に支持された拡散ボックス４０、作業テーブル２２にセットされるフィルムキャリア３８、及び作業テーブル２２を挟んで光源部３０の反対側に配置された読取部６０を備えている。
【００１６】
光源部３０は金属製のケーシング６２内に収容されており、ケーシング６２の内部には、ハロゲンランプやメタルハライドランプ等から成るランプ３２が配置されている。ランプ３２の光の一部はリフレクタ６６によって反射され、一定の方向へ射出される。
【００１７】
一方、図２に示すように、リフレクタ６６の光射出側には、リフレクタ６６からの射出光の光軸Ｌに沿って、紫外域及び赤外域の波長の光をカットすることで写真フィルムの温度上昇を防止し読取精度を向上させるＵＶ／ＩＲカットフィルタ７０、ランプ３２からの光及びリフレクタ６６からの射出光の光量を調整する絞り７２、及び読取部６０に到達する光の色成分を、写真フィルムの種類（ネガフィルム／リバーサルフィルム）に応じて適切に設定するバランスフィルタ３６が設けられている。絞り７２は光軸Ｌを挟んで配置された一対の板材から成り、一対の板材が接近離間するようにスライドする。
【００１８】
バランスフィルタ３６から拡散ボックス４０に入射された光は、光拡散板によって拡散光とされてフィルムキャリア３８（すなわち写真フィルム）に向けて射出される。このように、拡散ボックス４０から射出される光が拡散光とされることにより、写真フィルムに照射される光の光量むらが低減され、フィルム画像に均一な光量の光が照射されると共に、フィルム画像に傷が付いていたとしても、この傷が目立ちにくくなる。
【００１９】
読取部６０のケーシング４４の内部には、上面にエリアＣＣＤ７４が取付けられた載置台７６が設けられており、載置台７６からは支持レール７８が複数本垂下されている。
【００２０】
支持レール７８には、縮小・拡大等の変倍のために作業テーブル２２と接近離間する方向Ａにスライド移動可能にレンズユニット５０が支持されている。作業テーブル２２には支持フレーム８０が立設されている。載置台７６は、支持フレーム８０に取り付けられたガイドレール４２に、上記変倍やオートフォーカス時に共役長を確保するために作業テーブル２２と接近離間する方向Ｂにスライド移動可能に支持されている。
【００２１】
レンズユニット５０は複数枚のレンズから成り、複数枚のレンズの間にはレンズ絞り８２が設けられている。この絞り８２により通過する光の光量が変化する構成である。
〔フィルムキャリアの構成〕
このように構成される画像読取装置１４に装着されるフィルムキャリア１００は、図３に示すように、基台１０２と、基台１０２に対して磁着されフィルムサイズに対応して交換されるマスクユニット１０４とから基本的に構成される。
【００２２】
マスクユニット１０４は、図４に示すように、写真フィルム（以下、単にフィルムという）が載置されるマスク１０６と、マスク１０６に対して揺動自在に取り付けられフィルムを圧着する圧着板１４６を備えるアッパーガイド１０８と、アッパーガイド１０８の姿勢を保持するマグネット部材１１０と、アッパーガイド内部に配設される第１遮光部材１１２と、アッパーガイド１０８の上部に磁着される第２遮光部材１１４とから構成される。
【００２３】
マスク１０６は板体１１５の裏面に基台１０２に磁着させるためのマグネット１１６が４個配置されている。すなわち、マスク１０６は、基台１０２に対して着脱自在とされている。また、板体１１５の略中央には画像読取装置１４の光源部３０から照射された読取光を透過させるための孔部１１８が形成されると共に、その孔部１１８を挟んでフィルムの画像コマ等を位置決めする際の一対のガイド１２０Ａ、１２０Ｂが突出形成されている。
【００２４】
また、板体１１５の矢印Ｘ２方向端部（図４参照、以下、Ｘ方向後端という）には切欠１２２が形成されており、切欠１２２に沿って軸受部材１２４が板体１１５に螺着されている。軸受部材１２４には、アッパーガイド１０８の回転軸となる軸体１４０が挿通される孔部を有する一対の軸受１２６が立設されている。また、軸受部材１２４と板体１１５が積層されることによって切欠部１２２に沿ってガイド溝１２８が形成されている。
【００２５】
一方、この切欠１２２に装着されるマグネット部材１１０は、本体１１０Ａと本体１１０Ａに対して回転軸２０２を中心として揺動自在に構成された揺動部材１１０Ｂから構成されている。この本体１１０ＡのＹ方向両側面の矢印Ｘ１方向端部（図４参照、以下、Ｘ方向先端という）側にはＸ方向に延在する凸部１３０が形成されている。したがって、この凸部１３０をガイド溝１２８に進入させてマグネット部材１１０を切欠１２２に挿入することにより、マグネット部材１１０がマスク１０６（板体１１５）に装着されている。
【００２６】
また、本体１１０Ａの上面には、Ｘ方向先端にアッパーガイド１０８の開放姿勢を保持するためのマグネット１３２が配置されると共に、Ｘ方向後端に回転軸２０２を軸支するために一対の軸受２０４が立設されている。回転軸２０２を介して支持される揺動部材１１０Ｂは、図６に示すように、断面略Ｌ字型（図６参照）のプレート２０５の下面のＸ方向先端側にマグネット２０６が配設されており、上面のＸ方向先端側に樹脂製の押圧部２０７が突出形成されている。また、回転軸２０２に巻回されたコイルスプリング２０８によって揺動部材１１０Ｂは常時時計回り（アッパーガイド１０８の舌片３０６Ａから離間する方向）に付勢されている。また、揺動部材１１０ＢのＸ方向後端には舌片２１０が設けられ本体１１０Ａに設けられた係止面２１２に当接することによって揺動部材１１０Ｂの回転量が規制される構成である。
【００２７】
一方、マスク１０６の上部に配置されるアッパーガイド１０８は、略星型形状に形成された板体１３４を備え、板体１３４のＸ方向先端にはアッパーガイド１０８の操作時に使用する一対の舌片１３５が形成されている。また、板体１３４のＸ方向後端の凸部１３６には、軸体１４０が挿通される孔部を有する一対の軸受１３８が形成されている。この軸受１３８とマスク１０６の軸受１２６に軸体１４０を挿通することによって、アッパーガイド１０８は軸体１４０を中心としてマスク１０６に対して開閉（揺動）自在とされている。
【００２８】
また、凸部１３６のＸ方向後端側には、マグネット部材１１０のマグネット１３２あるいはマグネット２０６に磁着する舌片１３６Ａが突出形成されている。
【００２９】
さらに、板体１３４の略中心には孔部１４２が形成されており、板体１３４の孔部１４２の縁から４本のピン１４４を介して圧着板１４６が板体１３４の下方に配設されている。圧着板１４６は、マスク１０６の孔部１１８に対応する孔部１４８が形成された枠体１５０であり、ピン１４４に巻回されたスプリング１５２によって、マスク１０６の読取位置に設置されるフィルムＦを板体１１５側に弾性的に押圧する構成である。
【００３０】
この圧着板１４６に接着される第１遮光部材１１２は、孔部１１８に対応する孔部１５４が形成された枠体１５６と、枠体１５６の底面に沿って矢印Ｙ方向（図４参照、以下、Ｙ方向という）両端部に突出形成された舌片１５８とを備える。なお、舌片１５８の裏面には両面テープが取り付けられている。
【００３１】
一方、アッパーガイド１０８の板体１３４に形成された孔部１４２は、第１遮光部材１１２が上部から挿入できるように、舌片１５８に対応してＹ方向両端部に凹部１４２Ａが形成されている。したがって、第１遮光部材１１２をアッパーガイド１０８の孔部１４２に上部から挿入し、圧着板１４６の枠体１５０上に第１遮光部材１１２の舌片１５８を載置することによって圧着板１４６上に第１遮光部材１１２が接着されている。圧着板１４６上に接着された第１遮光部材１１２の枠体１５６は、孔部１４２から板体１３４の上部に突出し、後述する第２遮光部材１１４の孔部１６６内に到達する（図６参照）。
【００３２】
さらに、アッパーガイド１０８の上部に配設される第２遮光部材１１４は、図５に示すように、下部材１６０と、上部材１６２と、下部材１６０と上部材１６２に上下端を固着された蛇腹状の遮光カーテン１６４とから基本的に構成される。
【００３３】
下部材１６０には、第１遮光部材１１２の枠体１５６が進入可能な孔部１６６が形成されると共に、孔部１６６のＹ方向両側に一対のピボット１６８が立設され、Ｘ方向後端に一対の矩形体形状の規制部材１７０が立設されている。
【００３４】
一方、上部材１６２には、下部材１６０の孔部１６６に対応する孔部１７２が形成されると共に、孔部１７２のＹ方向両側にピボット１６８を受ける半球状の凹部が形成されている軸受１７４と、Ｘ方向後端に規制部材１７０が進入する凹部１７６が形成された受け部材１７８を備える。凹部１７６は、規制部材１７０よりも若干大きく形成されている。また、ピボット１６８が軸受１７４を介して上部材１６２を支持することによって、下部材１６０に対して上部材１６２が揺動自在とされる。また、規制部材１７０が受け部材１７８の凹部１７６に進入することによって、揺動時の上部材１６２の挙動に規制を加え、上部材１６２が下部材１６０に対して捩じれて遮光カーテン１７０が破断することを回避するものである。
【００３５】
さらに、上部材１６２の上面には、一対の磁着部材１８０（図４参照）が設けられており、画像読取部６０のケーシング４４の下面４４Ａに設けられたマグネット２００（図６参照）と磁着して第２遮光部材１１４（上部材１６２）をケーシング４４に接着させるものである。
【００３６】
さらにまた、上部材１６２のＸ方向先端には、一対の舌片１８２が設けられている。
【００３７】
一方、遮光カーテン１６４は、一端が下部材１６０と周回する枠部材１８４の間に挟まれて固着されており、他端が上部材１６２と周回する枠部材１８６に挟まれて固着されている。すなわち、下部材１６０と上部材１６２は、遮光カーテン１６４を介して接続されている。また、下部材１６０と上部材１６２の間は枠体１８４、１８６に沿って周回する遮光カーテン１６４によって完全に外部から遮光されており、上部材１６２の変位（揺動等）に対応して蛇腹状の遮光カーテン１６４が伸縮自在とされている。
【００３８】
なお、このように構成される第２遮光部材１１４は、下部材１６０の下面に取り付けられた両面テープでアッパーガイド１０８の上面に接着されている。
【００３９】
このように構成されたフィルムキャリア１００の作用について説明する。
【００４０】
先ず、フィルムキャリア１００の基台１０２からマスクユニット１０４を取り外した状態で一コマフィルムＦをマスク１０６に位置決めする。
【００４１】
この状態のマスクユニット１０４を、図６に示す。すなわち、アッパーガイド１０８は水平状態とされ、その自重で圧着板１４６がマスク１０６の板体１１５に当接している。また、第２遮光部材１１４は、上部材１６２が下部材１６０のピボット１６８で軸支されている状態とされている。さらに、マグネット部材１１０の揺動部材１１０Ｂはコイルスプリング２０４の付勢力で舌片２１０が係止面２１２に当接した状態とされている（以下、この状態をフリー状態という）。
【００４２】
このマスクユニット１０４にフィルムＦをセットする場合には、次のように作業を行なう。先ず、オペレータがアッパーガイド１０８の舌片１３５を掴んで持ち上げることにより、アッパーガイド１０８はマスク１０６の軸受け１２６に支持された軸体１４０を中心として図６上、時計回りに回転する。この結果、圧着板１４６はマスク１０６（板体１１５）から離間して圧着板１４６の枠体１５０とマスク１０６のＸ方向先端側のガイド１２０Ａの間に間隙が生ずる（図７参照）。
【００４３】
なお、この回転によってアッパーガイド１０８のＸ方向後端の舌片１３６Ａがマグネット部材１１０のマグネット１３２と当接して磁着される。この結果、アッパーガイド１０８の回転量が規制されると共に、その開放姿勢が保持される。
【００４４】
このようにアッパーガイド１０８の開放姿勢が保持されている状態で、オペレータは圧着板１４６の枠体１５０とマスク１０６のガイド１２０Ａの間からガイド１２０Ａ、１２０Ｂの間にフィルムを進入させ（図７矢印参照）、一コマフィルムＦを孔部１１８上（読取位置）に位置決めする。
【００４５】
フィルムＦの位置決め終了後に、オペレータはアッパーガイド１０８の舌片１３５を押し下げる。この結果、アッパーガイド１０８のＸ方向後端の舌片１３６Ａが磁力に抗してマグネット１３２から離間し、アッパーガイド１０８は軸体１４０を中心にして反時計回りに回転する。この結果、圧着板１４６が所定の弾性力でマスク１０６の孔部１１８上（読取位置）に位置決めされたフィルムＦに当接する（図８参照）。
【００４６】
続いて、マグネット部材１１０の押圧部２０７を押圧することによって揺動部材１１０Ｂはコイルスプリング２０８の付勢力に抗して反時計回りに回転し、アッパーガイド１０８の舌片３０６Ａと磁着する。この状態で押圧部２０７の押圧を解除することによって、コイルスプリング２０８によって上方向に付勢されている揺動部材１１０Ｂに磁着されたアッパーガイド１０８（舌片３０６Ａ）が軸体１４０を中心として反時計回りに回動し、アッパーガイド１０８のＸ方向先端側がマスク１０６側に移動する。この結果、一コマフィルムＦに当接していた圧着板１４６とアッパーガイド１０８の間に配設されていたスプリング１５２が圧縮され、この圧縮による弾性力の増加が圧着板１４６に作用して一コマフィルムＦがマスク１０６（板体１１５）に圧着される（図９参照）。すなわち、一コマフィルムＦがマスク１０６上でずれなくなる。
【００４７】
このように、一コマフィルムＦがマスク１０６に圧着された状態で、マスクユニット１０４を画像形成装置１４の読取部６０（ケーシング４４）の下方にセットされた基台１０２（図９、図１０、図示せず）に装着する（図９、二点鎖線参照）。
【００４８】
この状態で、オペレータが指で第２遮光部材１１４の舌片１８２を押し上げることによって、下部材１６０のピボット１６８に支持されているだけの上部材１６２が上方に移動する。この結果、ケーシング４４の下面４４Ａに接近した第２遮光部材１１４の磁着部材１８０がケーシング４４のマグネット２００．に磁着する（図１０参照）。すなわち、上部材１６２がケーシング４４の下面４４Ａに磁着された状態となる。この結果、上部材１６２の軸受１７４が下部材１６０のピボット１６８から離間して浮いた状態となる。
【００４９】
この際、下部材１６０の規制部材１７０が受け部材１７８の凹部１７６内に進入しているため、磁着する際に上部材１６２に対して捩じり力が作用しても下部材１６０に対する捩じり運動が規制され、上部材１６２の下部材１６０に対する捩じり運動によって遮光カバー１６４が破断することを回避できる。
【００５０】
この状態で、画像読取装置１４の光源部３０から読取光が照射されることにより、読取光はマスク１０６の孔部１１８、圧着板１４６の枠体１５０の孔部１４８、さらに第１遮光部材１１２の孔部１５４を通過し、第２遮光部材１１４の遮光カーテン１６４の内側を通過して孔部１７２を介してケーシング４４の内部に進入し、ＣＣＤ７４に入射する。
【００５１】
したがって、フィルムキャリア３８（フィルムＦ）から読取部６０のケーシング４４の内部まで読取光が通過する光路が、外部から完全に遮光され、良好な画像読取が実現する。
【００５２】
ところで、本実施形態のマスクユニット１０４では、フィルムキャリア３８の基台１０２から取り外した状態で一コマフィルムＦの位置決めを行なうが、マスク１０６に対して位置決めされた一コマフィルムＦが、マグネット部材１１０の操作によってマスク１０６に対して圧着させられるため、マスクユニット１０４を基台１０２に対して装着する際にアッパーガイド１０８（圧着板１４６）をオペレータが押さえておく必要がなく、操作性が良好になる。
【００５３】
ところで、圧着状態を解除するためには、オペレータがアッパーガイド１０８の舌片１３５を押し上げることによって、アッパーガイド１０８を時計回りに回転させて舌片１３６Ａをマグネット２０６から離間させれば良い。
【００５４】
なお、本実施形態では、マスクユニット１０４が第１遮光部材１１２、第２遮光部材１１４を含むものを説明したが、遮光部材を含まない場合にも適用できることは言うまでもない。また、本実施形態では、第１遮光部材１１２、第２遮光部材１１４をアッパーガイド１０８に接着した状態のまま説明したが、一コマフィルムＦなどの位置決めが困難な場合には、例えば、アッパーガイド１０８に両面テープで接着されている第２遮光部材１１４をアッパーガイド１０８から取り外して一コマフィルムＦの位置決めを行なうようにしても良い。
【００５５】
また、一コマフィルムの例について説明したが、他のフィルムに対しても適用できる。
【００５６】
さらに、本実施形態では、フィルムＦの位置ずれを防止するために圧着させる機構として、マグネット部材１１０の揺動部材１１０Ｂ（マグネット１２６）を説明したが、これに限定されるものではない。例えば、アッパーガイド１０８の軸体１４０よりもＸ方向先端側の下面にマグネットを配設して、アッパーガイド１０８が常時マスク側に付勢されている構成としても良い。このように構成すれば、アッパーガイド１０８を閉塞するだけで、同時に上記マグネットの磁力によって圧着板１４６がフィルムＦをマスク１０６に圧着させるからである。
【００５７】
【発明の効果】
本発明のフィルムキャリアは、画像記録媒体がマスクに位置決めした後にキャリア本体にマスクを装着する際の操作性が良好になる。
【図面の簡単な説明】
【図１】本発明の一実施形態に係るフィルムキャリアが取付けられる画像読取装置の外観図である。
【図２】本発明の一実施形態に係るフィルムキャリアが取付けられる画像読取装置の光学系の側面断面図である。
【図３】本発明の一実施形態に係るフィルムキャリアの斜視図である。
【図４】本発明の一実施形態に係るマスク機構の分解斜視図である。
【図５】本発明の一実施形態に係る第２遮光部材の分解斜視図である。
【図６】本発明の一実施形態に係るマスク機構の動作状態説明図である。
【図７】本発明の一実施形態に係るマスク機構の動作状態説明図である。
【図８】本発明の一実施形態に係るマスク機構の動作状態説明図である。
【図９】本発明の一実施形態に係るマスク機構の動作状態説明図である。
【図１０】本発明の一実施形態に係るマスク機構の動作状態説明図である。
【符号の説明】
３８…フィルムキャリア
１０２…基台（キャリア本体）
１０６…マスク
１０８…アッパーガイド（押さえ部材）
【図１】
2004117550.tif 000003
【図２】
2004117550.tif 000004
【図３】
2004117550.tif 000005
【図４】
2004117550.tif 000006
【図５】
2004117550.tif 000007
【図６】
2004117550.tif 000008
【図７】
2004117550.tif 000009
【図８】
2004117550.tif 000010
【図９】
2004117550.tif 000011
【図１０】
2004117550.tif 000012